(57)【要約】【課題】外部から加わる振動や温度上昇に対しても誤作動を惹起するおそれのないようにする。【解決手段】ベースシート１１の表面に、第１の接片１６を、一端部１６ａを固定し、他端部１６ｂを自由にすると共にベースシート１１から離間させて配置し、第２の接片１７を、一端部１７ａを固定し、他端部１７ｂを自由にすると共に第１の接片１６の他端部１６ｂから反ベースシート１１側に離間させて配置した。この結果、表面シート１８は、第２の接片１７の他端部１７ｂにより支持されるから、外部から振動が加わったり温度上昇があったりしても、第２の接片１７が第１の接片１６と接触をする部分である他端部１６ｂにおいて、表面シート１８がベースシート１１に近づくことはない。かくして、第２の接片１７が第１の接片１６に接触する誤作動を惹起することのないようにできる。【選択図】図１
2008021592.tif 000002
【特許請求の範囲】
【請求項１】
ベースシートと、
このベースシートの表面に、一端部を固定し、他端部を自由にすると共にベースシートから離間させて配置された、導電性を有する第１の接片と、
前記ベースシートの表面に、一端部を固定し、他端部を自由にすると共に前記第１の接片の他端部から前記ベースシート側とは反対の側に離間させて配置された、導電性を有する第２の接片と、
この第２の接片から前記第１の接片及び前記ベースシートを覆った表面シートとを具備し、
前記表面シートの前記第２の接片の他端部と対応する部分を押圧することで、該第２の接片の他端部が前記第１の接片の他端部に接触して導電状態を呈することを特徴とするメンブレンスイッチ。
【発明の詳細な説明】
【技術分野】
【０００１】
本発明は、導電をする部分を改良したメンブレンスイッチに関する。
【背景技術】
【０００２】
従来より、メンブレンスイッチは、一般に、図５に示すように、ベースシート１の表面（上面）に下部接点２が例えば一対設けられ、ベースシート１と対向する表面シート３の裏面（下面）に上部接点４が設けられていて、それら両接点２，４部分を囲う箇所で両シート１，３間にスペーサ５が挟設され、両接点２，４を離間させている。そして、その状態から、図６に矢印Ｘで示すように、表面シート３の上部接点４と対応する部分を押圧することで、上部接点４が下部接点２に接触し、導電状態を呈するようになっている（例えば特許文献１参照）。
【特許文献１】特開２０００−１２７９１１号公報（図６）
【発明の開示】
【発明が解決しようとする課題】
【０００３】
上記従来のメンブレンスイッチにおいては、両シート１，３は、両接点２，４部分を囲う箇所にスペーサ５を挟設しており、両接点２，４部分にはスペーサ５を挟設していない。これは、表面シート３の上部接点４と対応する部分を押圧したときに、上部接点４を下部接点２に接触させるためには必要なことではあるが、表面シート３の上部接点４と対応する部分の支持がなされていないことであり、このため、常時（表面シート３の上部接点４と対応する部分を押圧しないとき）に、外部から加わる振動や温度上昇によって、表面シート３の上部接点４と対応する部分がベースシートに近づき、それによって上部接点４が下部接点２に接触する誤作動を惹起するおそれを有していた。
【０００４】
本発明は上述の事情に鑑みてなされたものであり、従ってその目的は、外部から加わる振動や温度上昇に対しても誤作動を惹起するおそれのないメンブレンスイッチを提供するにある。
【課題を解決するための手段】
【０００５】
上記目的を達成するために、本発明のメンブレンスイッチは、ベースシートと、このベースシートの表面に、一端部を固定し、他端部を自由にすると共にベースシートから離間させて配置された、導電性を有する第１の接片と、前記ベースシートの表面に、一端部を固定し、他端部を自由にすると共に前記第１の接片の他端部から前記ベースシート側とは反対の側に離間させて配置された、導電性を有する第２の接片と、この第２の接片から前記第１の接片及び前記ベースシートを覆った表面シートとを具備し、前記表面シートの前記第２の接片の他端部と対応する部分を押圧することで、該第２の接片の他端部が前記第１の接片の他端部に接触して導電状態を呈することを特徴とする。
【発明の効果】
【０００６】
上記手段によれば、表面シートは、第２の接片が第１の接片と接触をする部分（他端部）において、該第２の接片によりベースシート側から支持される。よって、外部から振動が加わったり温度上昇があったりしても、第２の接片が第１の接片と接触をする部分において表面シートがベースシートに近づくことはなく、かくして、第２の接片が第１の接片に接触する誤作動を惹起するおそれをなくすことができる。
又、第２の接片の他端部が第１の接片の他端部と接触する際には、その接触部分に相互の摺動が生じ、それによって接触部分の汚れや油分等を払拭する効果が得られる。しかも、その場合、第１の接片は第２の接片を押し戻す反力を第２の接片に及ぼすため、接触部分の相互摺動が強く生じ、接触部分の汚れ等を払拭する効果がより有効に得られる。
【発明を実施するための最良の形態】
【０００７】
以下、本発明の一実施例（一実施形態）につき、図１ないし図４を参照して説明する。
まず、図１において、１１はベースシートを示しており、このベースシート１１は、この場合、プリント回路基板の基材から成っているが、それに代えて、ポリエステルなど合成樹脂のフィルム等から成っていても良く、その表面（上面）には、図で左右一対の接点１２，１３と、これらにそれぞれ連続する配線１４，１５とを、銅箔や導電塗料等で有している。
【０００８】
又、ベースシート１１の表面には、第１の接片１６と第２の接片１７を配置しており、これらの接片１６，１７は導電性を有するもので、それを例えばニッケル板の表面に金メッキを施して構成している。そして、第１の接片１６は、一端部（図で左側の端部）１６ａを前記接点１２，１３のうちの一方側の接点１２に導電接続してベースシート１１の表面に固定し、この一端部１６ａより一段高くなった他端部（図で右側の端部）１６ｂを自由にすると共にベースシート１１から離間させている。
【０００９】
これに対して、第２の接片１７は、一端部（図で右側の端部）１７ａを他方側の接点１３に導電接続してベースシート１１の表面に固定し、この一端部１７ａより一段高くなった他端部（図で左側の端部）１７ｂを自由にすると共に上記第１の接片１６の他端部からベースシート１１側とは反対の側（上方）に離間させている。
そして、それら第２の接片１７から第１の接片１６及びベースシート１１を、柔軟性に富む表面シート１８で覆っている。
【００１０】
なお、接点１２，１３と接片１６，１７の組は、図３にＳで示すが、多数組存在し、これらを一つの大きなベースシート１１に配置し、そして、一つの大きな表面シート１８で覆っている。この場合、その一組Ｓずつの区画は例えば１ｍｍ平方以内のサイズである。
但し、それに限られるものではなく、図４に示すように、接点１２，１３と接片１６，１７の組Ｓが一つのみ存在して、それを一つの小さなベースシート１１に配置し、そして、一つの小さな表面シート１８で覆ったものであっても良い。
【００１１】
さて、上述のごとく構成したものの場合、表面シート１８の第２の接片１７の他端部１７ｂと対応する部分を、図２に矢印Ｘで示すように押圧すれば、該第２の接片１７の他端部１７ｂが第１の接片１６の他端部１６ｂに接触して導電状態を呈する。すなわち、接点１２，１３間を第１の接片１６と第２の接片１７とで導通させる状態となる。又、このとき、第２の接片１７の他端部１７ｂは、第１の接片１６の他端部１６ｂを押込んで、ともに弾性変形する。
【００１２】
そして、その状態から、上記表面シート１８の押圧を解除すれば、第２の接片１７及び第１の接片１６は弾性で復元し、第２の接片１７の他端部１７ｂが第１の接片１６の他端部１６ｂから離間して元の断電状態（図１）を呈する。
【００１３】
しかして、断電状態では、第２の接片１７の他端部１７ｂにおいて、表面シート１８が該第２の接片１７の他端部１７ｂによりベースシート１１側から支持される。よって、外部から振動が加わったり温度上昇があったりしても、第２の接片１７の他端部１７ｂにおいて、表面シート１８がベースシート１１に近づくことはなく、かくして、従来のものとは異なり、第２の接片１７が第１の接片１６に接触する誤作動を惹起するおそれをなくすことができる。
【００１４】
又、第２の接片１７の他端部１７ｂが第１の接片１６の他端部１６ｂと接触する際には、その接触部分に相互の摺動が生じ、それによって接触部分の汚れや油分等を払拭する効果を得ることができる。しかも、その場合、第１の接片１６は第２の接片１７を押し戻す反力を第２の接片１７に及ぼすため、接触部分の相互摺動が強く生じ、接触部分の汚れ等を払拭する効果をより有効に得ることができる。
【００１５】
なお、本発明は上記し且つ図面に示した実施例にのみ限定されるものではなく、要旨を逸脱しない範囲内で適宜変更して実施し得る。
【図面の簡単な説明】
【００１６】
【図１】本発明の一実施例を示す主要部分の断電状態の縦断面図
【図２】主要部分の導電状態の縦断面図
【図３】全体の外観斜視図
【図４】全体の異なる例の外観斜視図
【図５】従来例を示す図１相当図
【図６】図２相当図
【符号の説明】
【００１７】
図面中、１１はベースシート、１６は第１の接片、１６ａは一端部、１６ｂは他端部、１７は第２の接片、１７ａは一端部、１７ｂは他端部、１８は表面シートを示す。
【図１】
2008021592.tif 000003
【図２】
2008021592.tif 000004
【図３】
2008021592.tif 000005
【図４】
2008021592.tif 000006
【図５】
2008021592.tif 000007
【図６】
2008021592.tif 000008